(57)【特許請求の範囲】
【請求項１】
座板と背もたれとを支持するフレームに、連結機構を介して、小机を回動可能に連結した小机付き個別椅子であって、
前記連結機構を、前記フレームに取り付けられる第１連結ブロックと、この第１連結ブロックに水平軸を介して回動可能に連結される第２連結ブロックと、この第２連結ブロックに連結軸を介して回動可能に連結されて、前記小机の下面に取り付けられる第３連結ブロックと、この第３連結ブロック側に設けられて、前記小机の前方向に突出する係止突起と、この係止突起が係合し得るように、前記第１連結ブロックの後面に突出形成したストッパとを備えたものとして、
前記小机を、前記座板の前方に前記水平軸を介して回動させてから、前記小机の前部を、前記連結軸を介して押し下げたとき、前記係止突起が前記ストッパに係止し得るようにしたことを特徴とする小机付き個別座席。
【発明の詳細な説明】
【技術分野】
【０００１】
本発明は、小机付き個別椅子に関し、特に、折り畳みはしないけれども、スタッキング（積み上げ）やネスティング（重ね合わせ）を行えるようにした小机付き個別椅子に関するものである。
【背景技術】
【０００２】
一般的な会議場では、種々な配置替えが行えるようにするためもあって、参加者が座る椅子は、個別のものとされており、かつ、メモを採る時などに使用する小机（メモ台）も付設されているものが多い。
【０００３】
そして、この種の小机付き個別椅子は、使用しないときには、スタッキング（垂直に積み上げること）またはネスティング（スーパーのカートのように水平に重ね合わせること）して、適宜場所にコンパクトに保管されることもある。当然、このスタッキングやネスティング時に、付設してある小机が邪魔にならないようにしておく必要はある。
【０００４】
このような、スタッキングやネスティングができて、小机を付設した椅子としては、特許文献１〜３等において提案されている。
【先行技術文献】
【特許文献】
【０００５】
【特許文献１】特開平８−２４０８１号公報、要約
【特許文献２】特開平１０−１１３２４３号公報、要約
【特許文献３】特開２００５−２４５８６８号公報、要約
【発明の概要】
【発明が解決しようとする課題】
【０００６】
特許文献１には、「スタッキング可能な椅子に筆記用、書類載置用のメモ台を取付けるための椅子のメモ台取付装置に関し、メモ台フレームを簡単な作業で着脱自在に取付けることが可能であり、しかも椅子をスタッキングした際にも邪魔にならないことは勿論、他の椅子の座板等を傷付ける恐れがない椅子のメモ台取付装置を提供する」ことを目的としてなされた「椅子のメモ台取付装置」が提案されている。
【０００７】
この特許文献１の「椅子のメモ台取付装置」は、図１０にも示すように、「座板２の下面側と背凭れ板３の背面側を下方に位置する他の椅子の座板の上面と背凭れ板３の前面に密着させて積み重ねるスタッキング可能な椅子において、スタッキング状態で下方に位置する椅子の座板との間に生じる間隙よりも上下幅の狭い偏平な取付金具２２を座板を取付ける座受板１９，２０に固着し、該取付金具には側方へ開放したガイド溝２３を有し、メモ台フレーム６の下端に設けた支持板２４を前記ガイド溝内に着脱自在に嵌着してなる」ようにしたものであるから、スタッキングやネスティングを行う際の操作が非常に手間取るものになっていると考えられる。
【０００８】
また、特許文献２には、「椅子自動布設・回収装置により自動布設、回収を可能にしたテーブル付きのスタッキングチェアを提供する」ことを目的としてなされた「スタッキングチェア」が提案されている。
【０００９】
この特許文献２の「スタッキングチェア」は、図１１にも示すように、「背もたれ１の側部フレームにアーム４を回転軸３を介して背もたれ１の前方と後方とに回転可能に設け、前記アーム４に第３連結ブロック２３字型のテーブル２を側方へはね上げ可能に取り付け、背もたれ１の側部フレームの前記回転軸３より下方に背もたれ１の前方に回転した前記アーム４を支持し前記テーブル２を水平状態に位置するストッパ部材５を設けた」ものであり、この「ストッパ部材５」が図１１に示すように椅子の側方に大きく突出するものであるため、多数の椅子をスタッキングしたりネスティングしたりする場合に大変邪魔になると考えられる。
【００１０】
そして、特許文献３には、「テーブルを低い位置に折り畳んだ状態でスタッキングすることができ、もって高さが制限された収容空間に、多数の椅子を安定して収容することができるとともに、構造が簡単で、かつ操作性のよいテーブル付き個別椅子を提供する」ことを目的とした「テーブル付き椅子」が提案されている。
【００１１】
この特許文献３の「テーブル付き椅子」は、図１３に示すように、スタッキングをしたりネスティングをしたりする利点があるものの、図１２に示すように、「座８を支持する脚体１の一側上部に、テーブル１７を、座８の前上方においてほぼ水平をなす使用位置Ａと、外下方に向かって傾斜する第１折り畳み位置座板１１１とに移動可能として装着する」ようにしたものであるから、使用時における「テーブル１７」の安定化が十分行えないのではないかと考えられる。
【００１２】
要するに、この種の小机付き個別椅子にあっては、スタッキングやネスティングができることは当然として、折角の小机が使用時にはしっかりと固定されて、この小机の上でのメモ取りが安定して行えるようにすることができ、かつ、スタッキングやネスティングのために、この小机が簡単に動かせるようにする必要がある。
【００１３】
そこで、本発明者等は、スタッキングやネスティングができることは当然として、折角の小机が使用時にはしっかりと固定されて、この小机の上でのメモ取りが安定して行えるようにすることができ、かつ、スタッキングやネスティングのために、この小机が簡単に動かせるようにすることのできる小机付き個別椅子とするにはどうしたらよいか、について種々検討を重ねてきた結果、本発明を完成したのである。
【００１４】
すなわち、本発明の目的とするところは、スタッキングやネスティングができて、小机を使用時にはしっかりと固定でき、スタッキングあるいはネスティング時に、小机を簡単に動かすことのできる小机付き個別椅子を、簡単な構成によって提供することにある。
【課題を解決するための手段】
【００１５】
以上の課題を解決するために、まず、請求項１に係る発明の採った手段は、後述する最良形態の説明中で使用する符号を付して説明すると、
「座板１１と背もたれ１２とを支持するフレーム１３に、連結機構２０を介して、小机１４を回動可能に連結した小机付き個別椅子１０であって、
連結機構２０を、フレーム１３に取り付けられる第１連結ブロック２１と、この第１連結ブロック２１に水平軸２４を介して回動可能に連結される第２連結ブロック２２と、この第２連結ブロック２２に連結軸２５を介して回動可能に連結されて、小机１４の下面に取り付けられる第３連結ブロック２３と、この第３連結ブロック２３側に設けられて、小机１４の前方向に突出する係止突起２６と、この係止突起２６が係合し得るように、第１連結ブロック２１の後面に突出形成したストッパ２７とを備えたものとして、
小机１４を、座板１１の前方に水平軸２４を介して回動させてから、小机１４の前部を、連結軸２５を介して押し下げたとき、係止突起２６がストッパ２７に係止し得るようにしたことを特徴とする小机付き個別座席１０」
である。
【００１６】
すなわち、本発明に係る小机付き個別椅子１０は、図１〜図３に示すように、使用者一人が座れる個別椅子であり、着座した使用者の前方に回動し得る小机１４を有したものである。そして、この小机１４は、当該小机付き個別椅子１０の複数をスタッキング状態にする際に、図４に示すように傾斜させることができるものであり、当該小机付き個別椅子１０の複数をネスティング状態にする際に、図５に示すように傾斜させることができるものである。
【００１７】
ところで、この小机付き個別椅子１０のフレーム１３に対する小机１４の連結は連結機構２０によりなされているのであるが、この連結機構２０は、図６及び図７に示すように、フレーム１３に取り付けられる第１連結ブロック２１と、この第１連結ブロック２１に水平軸２４を介して回動可能に連結される第２連結ブロック２２と、この第２連結ブロック２２に連結軸２５を介して回動可能に連結されて、小机１４の下面に取り付けられる第３連結ブロック２３と、この第３連結ブロック２３側に設けられて、小机１４の前方向に突出する係止突起２６と、この係止突起２６が係合し得るように、第１連結ブロック２１の後面に突出形成したストッパ２７とを備えたものである。
【００１８】
この連結機構２０が以上のような構成部材を有することから、上記スタッキングまたはネスティングを行うに当たって、小机１４の回動を、図８または図９に示すような順序で行うことができるのであり、特に、着座した使用者が使用しようとする小机１４の固定がしっかりと行えるものとなる。
【００１９】
つまり、使用者が当該小机付き個別椅子１０の座板１１に着座しようとする場合には、まず、小机１４を回動させて座板１１の前方にはない状態にするのであるが、その場合には、図８または図９の各（１）及び（２）に示すように、当該小机１４を持ち上げるのである。その際に、もし、小机１４が図１に示すような状態にあったときには、図６の（ｂ）に示すように、小机１４の前端面１４ａを持ち上げて係止突起２６とストッパ２７との係合を解除することは当然である。
【００２０】
ついて、小机付き個別椅子１０の座板１１に着座した使用者は、横に回動させておいた小机１４を、図６の（ｂ）にて示すように、座板１１の前方に回動させてから、この小机１４の前部を、図６の（ｂ）中の矢印１にて示すのとは反対（下方）に押し下げたるのである。このとき、第３連結ブロック２３側に設けられて、小机１４の前方向に突出する係止突起２６が、図６の（ａ）にて示すように、第１連結ブロック２１の後面に突出形成したストッパ２７に係止して、小机１４のそれ以上下方への回動と、横方向への回動が阻止されるのである。
【００２１】
なお、後述する実施形態に係る小机付き個別椅子１０では、図６の（ａ）にて示すように、小机１４の裏面に連結された第３連結ブロック２３の取付板２３ａが、第１連結ブロック２１の上端に、上面が水平状態となるように形成した支承部２１ａ上に支承されることになるため、座板１１の前方に回動させてから前部を押し下げたときの小机１４を、係止突起２６のストッパ２７への係止ともあいまって、確実になされるのである。
【００２２】
従って、本発明に係る小机付き個別椅子１０は、その複数のスタッキングやネスティングができて、小机１４を使用時にはしっかりと固定でき、スタッキングあるいはネスティング時に、小机１４を簡単に動かすことができるものとなっているのである。
【発明の効果】
【００２３】
以上、説明した通り、本発明においては、
「座板１１と背もたれ１２とを支持するフレーム１３に、連結機構２０を介して、小机１４を回動可能に連結した小机付き個別椅子１０であって、
連結機構２０を、フレーム１３に取り付けられる第１連結ブロック２１と、この第１連結ブロック２１に水平軸２４を介して回動可能に連結される第２連結ブロック２２と、この第２連結ブロック２２に連結軸２５を介して回動可能に連結されて、小机１４の下面に取り付けられる第３連結ブロック２３と、この第３連結ブロック２３側に設けられて、小机１４の前方向に突出する係止突起２６と、この係止突起２６が係合し得るように、第１連結ブロック２１の後面に突出形成したストッパ２７とを備えたものとして、
小机１４を、座板１１の前方に水平軸２４を介して回動させてから、小机１４の前部を、連結軸２５を介して押し下げたとき、係止突起２６がストッパ２７に係止し得るようにしたこと」
にその構成上の特徴があり、これにより、複数のスタッキングやネスティングができて、小机１４を使用時にはしっかりと固定でき、スタッキングあるいはネスティング時に、小机１４を、スタッキングやネスティングの邪魔にならない位置に簡単に動かすことができる小机付き個別座席１０を、簡単な構成によって提供することができるのである。
【図面の簡単な説明】
【００２４】
【図１】本発明に係る小机付き個別椅子１０であって、小机１４を使用状態に固定したときの正面図である。
【図２】同小机付き個別椅子１０の平面図である。
【図３】同小机付き個別椅子１０の側面図である。
【図４】同小机付き個別椅子１０の複数をスタッキングしたときの正面図である。
【図５】同小机付き個別椅子１０の複数をネスティングしたときの正面図である。
【図６】同小机付き個別椅子１０の小机１４をフレーム１３に連結機構２０を介して連結したときであって、小机１４の前端面１４ａが図示左側になったときを示すもので、（ａ）は小机１４が係止突起２６とストッパ２７とによって固定された状態を示す部分拡大側面図、（ｂ）は小机１４の係止突起２６とストッパ２７とによる固定を外す状態を示す部分拡大側面図である。
【図７】同小机付き個別椅子１０の小机１４と連結機構２０との関係を示すもので、（ａ）は小机１４の底面図、（ｂ）は小机１４の背面図、（ｃ）は小机１４の右側面図である。
【図８】同小机付き個別椅子１０の小机１４をスタッキングに適した状態にする順序を（１）〜（５・Ｓ）で示すもので、（１）は小机１４の右側面図、（２）は小机１４を（１）中の矢印方向に起こしたときの底面図、（３・Ｓ）は小机１４を（２）中の矢印方向に倒したときの底面図、（４・Ｓ）は（３・Ｓ）の側面図、（５・Ｓ）は小机１４を（４・Ｓ）中の矢印方向に起こしたときの平面図である。
【図９】同小机付き個別椅子１０の小机１４をネスティングに適した状態にする順序を（１）〜（５・Ｎ）で示すもので、（１）は小机１４の右側面図、（２）は小机１４を（１）中の矢印方向に起こしたときの底面図、（３・Ｎ）は小机１４を（２）中の矢印方向に倒したときの底面図、（４・Ｎ）は（３・Ｎ）の平面図、（５・Ｎ）は小机１４を（４・Ｎ）中の矢印方向に起こしたときの平面図である。
【図１０】特許文献１に記載された技術を示す椅子の側面図である。
【図１１】特許文献２に記載された技術を示す小机の斜視図である。
【図１２】特許文献３に記載された技術を示す椅子の正面図である。
【図１３】特許文献３に記載された技術を示すもので、（ａ）はスタッキングした椅子の側面図、（ｂ）はネスティングした椅子の側面図である。
【発明を実施するための形態】
【００２５】
以上のように構成した本発明を、図面に示した実施の形態である小机付き個別椅子１０について説明すると、図１〜図３には、小机１４を使用状態に固定した小机付き個別椅子１０が示してある。この小机付き個別椅子１０を構成している背もたれ１２及び座板１１はフレーム１３に取り付けたものであるが、このフレーム１３は次のように構成してある。
【００２６】
フレーム１３は、図３に示したように、直線状の二本の補助フレーム１３ｂを交差させた状態で連結軸１３ｃによって固定した部材を２組用意して、座板１１や背もたれ１２を支持するように形成したものであり、各補助フレーム１３ｂの下端にはキャスター１３ａが取り付けてある。そして、上端が前方に向けて傾斜する補助フレーム１３ｂの一本の上端に小机１４が連結機構２０を介して取り付けてあり、残り１本の補助フレーム１３ｂの上端には肘掛け（図示せず）が取り付けられる。
【００２７】
連結機構２０は、図６に示したように、フレーム１３に取り付けられる第１連結ブロック２１と、この第１連結ブロック２１に、当該小机付き個別椅子１０の左右方向に延びる水平軸２４を介して回動可能に連結される第２連結ブロック２２と、この第２連結ブロック２２に、当該小机付き個別椅子１０の前後方向に延びる連結軸２５を介して回動可能に連結されて、小机１４の下面に取り付けられる第３連結ブロック２３と、この第３連結ブロック２３側に設けられて、小机１４の前方向に突出する係止突起２６と、この係止突起２６が係合し得るように、第１連結ブロック２１の後面に突出形成したストッパ２７とを備えたものである。
【００２８】
第１連結ブロック２１は、図６及び図７に示したように、一本の補助フレーム１３ｂの上端に回動不能に取り付けたもので、その上部は、図６にも示したように、第３連結ブロック２３側の取付板２３ａを水平に支承する支承部２１ａとしたものである。また、この第１連結ブロック２１の後部には、ストッパ２７が後方へ突出した状態で形成してある。そして、この第１連結ブロック２１に対しては水平軸２４を介して第２連結ブロック２２が連結してあるが、以上の結果、当該第１連結ブロック２１は補助フレーム１３ｂに対して全く固定的であるが、この第１連結ブロック２１に対して第２連結ブロック２２は、水平軸２４を中心として上下方向に回動可能となるのである。
【００２９】
第２連結ブロック２２は、上記第１連結ブロック２１と次に述べる第３連結ブロック２３とを互いに連結する言わば中間物であり、この第２連結ブロック２２に対する第３連結ブロック２３の回動可能な連結は、上記の水平軸２４に対して直交する連結軸２５によってなされる。なお、この第２連結ブロック２２と、第１連結ブロック２１及び第３連結ブロック２３との間には、所定の摩擦力を付与しながら回転を許容するフリクション部材（図示せず）が介装してある。
【００３０】
連結軸２５によって第２連結ブロック２２に回動可能に連結した第３連結ブロック２３は、図６にも示したように、小机１４の下面に固定的に取り付けたものである。つまり、この第３連結ブロック２３は、図７の（ａ）にて示したように、十分な広さを有する取付板２３ａを備えたものであり、この取付板２３ａに、係止突起２６を一体的に形成したものである。
【００３１】
係止突起２６は、図６にも示したように、小机１４を使用状態に回動し固定したときに前方に向けて突出するものであり、そうであるからこそ、図６の（ａ）にて示したように、第１連結ブロック２１側のストッパ２７に係合することになるものである。そして、この係止突起２６のストッパ２７に対する係合は、図６の（ｂ）にて示した矢印１方向に、水平軸２４を中心にして僅か上向きに回動させることにより解除できるのである。
【００３２】
係止突起２６のストッパ２７に対する係合が解除されれば、小机１４は、図６の（ｂ）にて示した矢印２方向に、つまり連結軸２５を中心にした左（または右）回りの回動ができるのであり、これにより、当該小机１４の座板１１の前方から側方への回動が行えるのである。
【００３３】
以上のような係止突起２６のストッパ２７に対する係合やその解除が行えることによって、当該連結機構２０による衣服や手荷物の挟み込みや、人体や衣服の引っ掛かりが少なくなる。何故なら、当該連結機構２０の大部分は小机１４下に隠れて小机１４により覆われるし、小机１４の下面は、図７の（ａ）にも示したように、第３連結ブロック２３の取付板２３ａによって少ししか覆われないからである。また、第１連結ブロック２１の支承部２１ａは、小机１４の前端面１４ａから大きく後退した位置に形成してあるから、この支承部２１ａと小机１４の取付板２３ａとの芦田で指を挟むことも少なくなる。
【符号の説明】
【００３４】
１０    小机付き個別椅子
１１    座板
１２    背もたれ
１３    フレーム
１３ａ  キャスター
１３ｂ  補助フレーム
１３ｃ  連結軸
１４    小机
１４ａ  前端面
２０    連結機構
２１    第１連結ブロック
２１ａ  支承部
２２    第２連結ブロック
２３    第３連結ブロック
２３ａ  取付板
２４    水平軸
２５    連結軸
２６    係止突起
２７    ストッパ
【図１】
0005416514.tif 000002
【図２】
0005416514.tif 000003
【図３】
0005416514.tif 000004
【図４】
0005416514.tif 000005
【図５】
0005416514.tif 000006
【図６】
0005416514.tif 000007
【図７】
0005416514.tif 000008
【図８】
0005416514.tif 000009
【図９】
0005416514.tif 000010
【図１０】
0005416514.tif 000011
【図１１】
0005416514.tif 000012
【図１２】
0005416514.tif 000013
【図１３】
0005416514.tif 000014